(57)【要約】      （修正有）【課題】１人掛け用椅子の一部へ結束して、その椅子に着席した人の下半身又は／及び上半身を安定良く暖房できる椅子への後付けヒーターを提供する。【解決手段】椅子の座面と対応する帯幅を備えたほぼ長方形な可撓性の面状発熱シートＨと、その面状発熱シートＨを出し入れ自在に収容した軟質の包袋Ｂとから成る。包袋Ｂを複数本の結束紐１４ａ，１４ｂによって、椅子の脚柱や背凭れ、その他の一部へ締結すると共に、面状発熱シートＨへ通電することにより、１人掛け用椅子へ着席した人の下半身又は／及び上半身を暖房する。【選択図】図１
0003159443.tif 000002
【実用新案登録請求の範囲】
【請求項１】
椅子の座面と対応する帯幅を備えたほぼ長方形な可撓性の面状発熱シートと、その面状発熱シートを出し入れ自在に収容した軟質の包袋とから成り、
その包袋を複数本の結束紐によって、上記椅子の脚柱や背凭れ、その他の一部へ締結すると共に、上記面状発熱シートへ通電することにより、１人掛け用椅子へ着席した人の下半身又は／及び上半身を暖房することを特徴とする椅子への後付け式ヒーター。
【請求項２】
面状発熱シートを、ポリエチレンテレフタレート樹脂フィルムに印刷された正温度係数インクが遠赤外線発熱体になるＰＴＣ面状発熱シートとして、その遠赤外線発熱体から引き出された導線の先端部に、電源コンセントへの差込みプラグを取り付けたことを特徴とする請求項１記載の椅子への後付け式ヒーター。
【請求項３】
包袋を表布と裏布とからほぼ長方形に縁取り縫製して、その表布又は裏布に面状発熱シート自身の開閉可能な出し入れ口と面状発熱シートから引き出された導線の貫通口とを設けると共に、
上記包袋の四隅部と中間部に各々かしめ付けた一対づつのリベットへ、一定長さの結束紐を各々着脱自在に取り付けたことを特徴とする請求項１記載の椅子への後付け式ヒーター。
【考案の詳細な説明】
【技術分野】
【０００１】
本考案は１人掛け用椅子へ着席した人の下半身又は／及び上半身を暖房できる椅子への後付け式ヒーターに関する。
【背景技術】
【０００２】
１人掛け用椅子へ着席した人の下方（足元）空間を暖房できるヒーターとしては、特開２００６−１４１７３９号と実用新案登録第３０２３４４５号が提案されており、これらが本考案に最も近似する公知技術であると考えられる。
【先行技術文献】
【特許文献】
【０００３】
【特許文献１】特開２００６−１４１７３９号公報
【特許文献２】実用新案登録第３０２３４４５号公報
【考案の概要】
【考案が解決しようとする課題】
【０００４】
ところが、特許文献１に記載の床暖房機能付き椅子では、面状発熱シート（１４）が内蔵されたパネル（４０）を吊り下げるためのスライド式レール（１０）や、そのパネル（４０）を出し入れするためのキャビネット（１６）、同じくパネル（４０）を巻き取り収納したり、折りたたみ収納したりするための収納ケース（３）などが特別に必要であり、特殊・高価な椅子となってしまう。
【０００５】
この点、特許文献２に記載のひざ掛けヒーターでは、マグネットクリップ（８）や両面接着テープを使って、図３、５、６のように椅子（１２）へ設置できることになっているが、その椅子（１２）へ着席した人の尻部を直接暖房することは不可能であり、やはり輻射熱により足元空間を暖めるに過ぎない。
【０００６】
何れにしても、特許文献１、２には椅子へ着席した人の尻部から背部に至る上半身を暖房できることが、全然記載されておらず、その椅子に後付けする汎用性や使用上の利便性に劣っている。
【課題を解決するための手段】
【０００７】
本考案はこのような課題の改良を目的としており、その目的を達成するために、請求項１では椅子の座面と対応する帯幅を備えたほぼ長方形な可撓性の面状発熱シートと、その面状発熱シートを出し入れ自在に収容した軟質の包袋とから成り、
【０００８】
その包袋を複数本の結束紐によって、上記椅子の脚柱や背凭れ、その他の一部へ締結すると共に、上記面状発熱シートへ通電することにより、１人掛け用椅子へ着席した人の下半身又は／及び上半身を暖房することを特徴とする。
【０００９】
又、請求項２では面状発熱シートを、ポリエチレンテレフタレート樹脂フィルムに印刷された正温度係数インクが遠赤外線発熱体になるＰＴＣ面状発熱シートとして、その遠赤外線発熱体から引き出された導線の先端部に、電源コンセントへの差込みプラグを取り付けたことを特徴とする。
【００１０】
更に、請求項３では包袋を表布と裏布とからほぼ長方形に縁取り縫製して、その表布又は裏布に面状発熱シート自身の開閉可能な出し入れ口と面状発熱シートから引き出された導線の貫通口とを設けると共に、
【００１１】
上記包袋の四隅部と中間部に各々かしめ付けた一対づつのリベットへ、一定長さの結束紐を各々着脱自在に取り付けたことを特徴とする。
【考案の効果】
【００１２】
請求項１の構成によれば、面状発熱シートが収容された包袋の結束紐を、１人掛け用椅子の脚柱や背凭れ、その他の一部へ締結して、その面状発熱シートへ通電することにより、椅子へ着席した人の下半身又は／及び上半身に伝熱して、言わば直かに暖房することができ、各種椅子に対する後付け汎用性に優れる。
【００１３】
又、面状発熱シートは可撓性を有し、その包袋も軟質であるため、椅子へ着席した人の下半身又は／及び上半身に沿って、滑らかに屈曲変形させることができ、不使用時にもロール状態に巻き曲げ保管したり、上記発熱シートと包袋とを分解掃除したりすることもでき、著しく便利である。
【００１４】
特に、請求項２の構成を採用するならば、ＰＴＣ面状発熱シート（フェバーヒーター）の温度は設定温度以上に上昇せず、サーモスタットなどの温度センサーが無くとも、過熱してしまう危険性がないため、椅子への後付け式ヒーターとして著しく有益であり、ランニングコストの大幅な節減や人体への遠赤外線効果にも役立つ。
【００１５】
更に、請求項３の構成を採用するならば、面状発熱シートの包袋を容易・安価に製作することができるほか、その面状発熱シートや結束紐の交換、上記包袋や結束紐の洗濯なども便利良く行なえる効果がある。
【図面の簡単な説明】
【００１６】
【図１】本考案に係る後付け式ヒーターの全体を示す斜面図である。
【図２】面状発熱シートを収容した状態の正面図である。
【図３】図２の３−３線拡大断面図である。
【図４】面状発熱シートを抽出して示す正面図である。
【図５】図４の５−５線拡大断面図である。
【図６】図４の６−６線拡大断面図である。
【図７】図４の７−７線拡大断面図である。
【図８】本考案の使用による上半身の暖房状態を示す側面図である。
【図９】本考案の使用による下半身の暖房状態を示す側面図である。
【図１０】本考案の使用による上半身と下半身の暖房状態を示す側面図である。
【考案を実施するための形態】
【００１７】
以下、図示の実施形態に基いて本考案の構成を具体的に詳述すると、その本考案の後付け式ヒーターは図１〜３のようなほぼ長方形の軟質な包袋（Ｂ）と、その内部へ出し入れ自在に収容された可撓性のＰＴＣ面状発熱シート（フェバーヒーター）（Ｈ）とから成り、その包袋（Ｂ）によって１人掛け用椅子（Ｃ）へ結束使用できるようになっている。
【００１８】
先ず、ＰＴＣ面状発熱シート（フェバーヒーター）（Ｈ）は図４〜７に抽出するような椅子（Ｃ）の座面と対応する帯幅（Ｗ）（例えば約３０〜４０cm）と、適当な一定長さ（Ｌ）（例えば約８０〜１２０cm）を備えたほぼ長方形のＰＥＴ（ポリエチレンテレフタレート）樹脂フィルム（１）上における櫛歯状の正電極（２ａ）と負電極（２ｂ）との相互間隙をあたかも埋める如く、交互に正温度係数インクで遠赤外線発熱体（３）をスクリーン印刷し、もう１枚のＰＥＴ樹脂フィルム（４）をサンドイッチ状態に接着一体化したものであり、約２mm以下の厚み（Ｔ）に制限されている。
【００１９】
そして、その正電極（２ａ）と負電極（２ｂ）から引き出された導線（５ａ）（５ｂ）の先端部には、電源コンセントへの差込みプラグ（６）が取り付けられている。（７ａ）（７ｂ）は接続端子、（８）は上記導線（５ａ）（５ｂ）を被覆する螺旋状の透明な樹脂カバーであって、椅子（Ｃ）が回転するも絡らみ付いたり、踏み潰されたりしないようになっている。
【００２０】
茲に、遠赤外線発熱体（３）となる正温度係数インクは、Ｐ型半導体の一種から構成されており、その発熱体（３）の温度が高くなるに連れて、電気抵抗値が急増する性質（ＰＴＣ特性）を有する。この点、本考案は１人掛け用椅子へ着席した人の下半身又は／及び上半身を暖房するものとして、その遠赤外線発熱体（３）の温度が予じめ約３０℃〜約８０℃に設定されている。そのため、この設定温度に達すると、電気抵抗の急増により、通電が急減し、遠赤外線発熱体（３）の温度は設定温度以上に上昇せず、自己温度制御機能を発揮する。サーモスタットなどを用いて温度調整しなくとも、過熱の危険がないのである。
【００２１】
次に、包袋（Ｂ）は軟らかい表布（９ａ）と裏布（９ｂ）とから、上記ＰＴＣ面状発熱シート（Ｈ）を収容できる一定な大きさ（例えば幅が約３５〜４５cm×長さが約８５〜１５０cmの長方形）に縁取り縫製されており、その表布（９ａ）又は裏布（９ｂ）の短辺と平行に切り欠かれた面状発熱シート用出し入れ口（１０）には、開閉ファスナー（１１）が取り付けられている。（１２）は上記ＰＴＣ面状発熱シート（Ｈ）の導線（５ａ）（５ｂ）を導出させるための貫通口である。但し、包袋（Ｂ）の素材としては上記面状発熱シート（Ｈ）を包囲できる１枚物の布地やフエルト、軟質の合成樹脂発泡体などを採用しても良い。
【００２２】
又、同じく包袋（Ｂ）の四隅部とほぼ中間部には上中下として並列する一対づつのリベット（ハトメ）（１３ａ）（１３ｂ）がかしめ付けられており、ここへ抜き差し自在に通し込まれた一定長さの結束紐（１４ａ）（１４ｂ）を使って、上記ＰＴＣ面状発熱シート（Ｈ）が収容された包袋（Ｂ）を、図８〜１０のように椅子（Ｃ）の座面（１５）やその脚柱（１６）、背凭れ（１７）の支柱（１８）、肘掛け（１９）の支柱（２０）、その他の一部へ締結できるようになっている
【００２３】
その場合、包袋（Ｂ）は自由に折りたたんだり、巻き曲げたりすることができるが、その内部のＰＴＣ面状発熱シート（Ｈ）はＰＥＴ樹脂フィルム（１）（４）から約２mm以下の厚み（Ｔ）に接着一体化されているため、滑らかな円弧状に巻き曲げることはできるが、折れ目が生ずる重合状態に折り返し扁平化することは不可能である。
【００２４】
そこで、本考案のヒーターを１人掛けの椅子（Ｃ）へ後付け使用するに当っては、その包袋（Ｂ）に収容された面状発熱シート（Ｈ）を図８のようなほぼＬ字形に屈曲させて、その包袋（Ｂ）の上部に位置する結束紐（１４ａ）（１４ｂ）を椅子（Ｃ）の背凭れ（１７）へ、中間部の結束紐（１４ａ）（１４ｂ）を背凭れ（１７）の支柱（１８）へ、更に下部の結束紐（１４ａ）（１４ｂ）を座面（１５）の脚柱（１６）へ各々締結し、上記面状発熱シート（Ｈ）から引き出された導線（５ａ）（５ｂ）の差込みプラグ（６）を、室内の電源コンセントへ差し込み使用すれば良い。そうすれば、その椅子（Ｃ）へ着席した人の上半身を、面状発熱シート（Ｈ）からの伝熱作用により暖房することができる。
【００２５】
又、上記面状発熱シート（Ｈ）を図９のようなほぼ倒立Ｌ字形に屈曲させて、やはり包袋（Ｂ）の上部に位置する結束紐（１４ａ）（１４ｂ）を椅子（Ｃ）における背凭れ（１７）の支柱（１８）へ、中間部と下部の結束紐（１４ａ）（１４ｂ）を何れも座面（１５）の脚柱（１６）へ各々締結することにより、その椅子（Ｃ）へ着席した人の下半身を上記と同様に暖房することができる。
【００２６】
更に、上記包袋（Ｂ）とこれに収容された面状発熱シート（Ｈ）の長さ次第では、これを図１０のような連続する階段形態に屈曲させて、その複数本の結束紐（１４ａ）（１４ｂ）を椅子（Ｃ）の一部へ安定良く締結することにより、その椅子（Ｃ）へ着席した人の上半身と下半身を全体的に暖房することも可能である。
【００２７】
そして、その何れにしても本考案の不使用時には滑らかなロール状態に巻き曲げて、その小型コンパクトに保管することができ、又面状発熱シート（Ｈ）の交換やその包袋（Ｂ）の清掃なども行なえるため、著しく便利であり、１人掛け用の各種椅子（Ｃ）に対する汎用性にも優れる。その椅子（Ｃ）としては回転式と非回転式との種別や肘掛け（１８）の有無を問わず、更に脚柱（１６）の本数も問わず、本考案をあらゆる形態の椅子（Ｃ）に後付け使用することができる。
【００２８】
先には、本考案の包袋（Ｂ）内に収容する面状発熱シート（フェバーヒーター）（Ｈ）として、正温度係数インクから成り、ＰＴＣ効果によって自己温度制御機能を発揮する遠赤外線発熱体（３）を説示したが、これに代る面状発熱シート（Ｈ）として、カーボンやセラミックなどをガラス繊維布に焼き付けた成形品とし、その左右端部に接続端子の銅箔を縫い付け、これに通電すれば、面全体から遠赤外線を発するもの（英国ＦＬＥＸＥＬ社製の商標「フレクセル」）を採用しても良い。
【００２９】
又、布地や樹脂フィルム、アルミ箔などのベースシートとカバーシートとの相互間へ、変形するも断線しない可撓性の電熱線が配線固定された面状発熱シート（Ｈ）を採用することもできる。
【００３０】
そして、このような自己温度制御機能がない面状発熱シート（Ｈ）を採用する場合には、使用者が手動操作できる温度調整器を取り付けて、その設定温度を高低調整することが望ましい。
【符号の説明】
【００３１】
（１）（４）・ＰＥＴ樹脂フィルム
（２ａ）・正電極
（２ｂ）・負電極
（３）・遠赤外線発熱体
（５ａ）（５ｂ）・導線
（６）・差込みプラグ
（７ａ）（７ｂ）・接続端子
（８）・樹脂カバー
（９ａ）・表布
（９ｂ）・裏布
（１０）・出し入れ口
（１１）・開閉ファスナー
（１２）・貫通口
（１３ａ）（１３ｂ）・リベット
（１４ａ）（１４ｂ）・結束紐
（１５）・座面
（１６）・脚柱
（１７）・背凭れ
（１８）・支柱
（１９）・肘掛け
（２０）・支柱
（Ｂ）・包袋
（Ｃ）・椅子
（Ｈ）・面状発熱シート
【図１】
0003159443.tif 000003
【図２】
0003159443.tif 000004
【図３】
0003159443.tif 000005
【図４】
0003159443.tif 000006
【図５】
0003159443.tif 000007
【図６】
0003159443.tif 000008
【図７】
0003159443.tif 000009
【図８】
0003159443.tif 000010
【図９】
0003159443.tif 000011
【図１０】
0003159443.tif 000012